(57)【要約】【課題】部品点数及び発熱源を低減し、コストダウンを図ること。【解決手段】画像形成搬送路２と、逆転搬送路２４と、再給紙搬送路３２とを備えた画像形成装置。再給紙搬送路３２には、第１、第２及び第３搬送ローラ４０、４２及び４４が配設されている。第１及び第２搬送ローラ４０及び４２の一端部はワンウェイクラッチ７４及び８２を介して正転逆転可能な１個の電動モータＭに駆動連結されている。第１搬送ローラ４０の他端部は、ワンウェイクラッチ７８を介して第２及び第３搬送ローラ４２及び４３の他端部に相互に同方向に回転するよう駆動連結されている。【選択図】  図２
2005089073.tif 000002
【特許請求の範囲】
【請求項１】
搬送される用紙に画像が形成される画像形成搬送路と、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路とを備えた画像形成装置において、
再給紙搬送路には、第１、第２及び第３搬送ローラが上流から下流に向ってこの順序で配設され、第１及び第２搬送ローラの一端部は、それぞれワンウェイクラッチを介して正転逆転可能な１個の電動モータに駆動連結され、第１搬送ローラの他端部は、ワンウェイクラッチを介して第２及び第３搬送ローラの他端部に相互に同方向に回転するよう駆動連結されている、
ことを特徴とする画像形成装置。
【請求項２】
電動モータを正転させると、第１、第２及び第３搬送ローラが用紙を搬送させる方向に回転駆動させられ、電動モータを逆転させると第１搬送ローラが用紙を搬送させる方向に回転駆動させられかつ第２及び第３搬送ローラは停止させられる、請求項１記載の画像形成装置。
【請求項３】
第１搬送ローラの一端部はワンウェイクラッチを介して電動モータに相互に逆方向に回転するよう駆動連結され、第２搬送ローラの一端部はワンウェイクラッチを介して電動モータに相互に同方向に回転するよう駆動連結され、
電動モータを正転させると、第１搬送ローラの一端部に配設されたワンウェイクラッチが断となり、第２搬送ローラの一端部に配設されたワンウェイクラッチ及び第１搬送ローラの他端部に配設されたワンウェイクラッチが接となり、電動モータの駆動力は、第２搬送ローラを介して第１及び第３搬送ローラに伝達され、電動モータを逆転させると、第１搬送ローラの一端部に配設されたワンウェイクラッチが接となり、第２搬送ローラの一端部に配設されたワンウェイクラッチ及び第１搬送ローラの他端部に配設されたワンウェイクラッチが断となり、電動モータの駆動力は、第１搬送ローラのみに伝達される、請求項２記載の画像形成装置。
【請求項４】
電動モータの駆動軸には駆動ギヤが一体に配設され、第１搬送ローラの一端部には被駆動ギヤがワンウェイクラッチを介して配設され、第１搬送ローラの他端部にはワンウェイクラッチを介して被駆動プーリが配設され、第２搬送ローラの一端部にはワンウェイクラッチを介して被駆動ギヤが配設され、第２搬送ローラの他端部には被駆動プーリが一体に配設され、第３搬送ローラの他端部には被駆動プーリが一体に配設され、第１搬送ローラの被駆動ギヤは駆動ギヤに噛み合わされ、第２搬送ローラの被駆動ギヤは、駆動ギヤに対し、動力伝達機構を介して相互に同方向に回転させられるように駆動連結され、第１、第２及び第３搬送ローラの被駆動プーリ間は無端状のタイミングベルトを介して相互に同方向に回転させられるように駆動連結されている、請求項３記載の画像形成装置。
【請求項５】
動力伝達機構は、駆動ギヤに噛み合わされかつ被駆動プーリが一体に配設された被駆動ギヤと、第２搬送ローラの被駆動ギヤに噛み合わされかつ被駆動プーリが一体に配設された被駆動ギヤと、被駆動プーリ間に巻き掛けられた無端状のタイミングベルトとを備えている、請求項４記載の画像形成装置。
【発明の詳細な説明】
【技術分野】
【０００１】
本発明は、静電複写機、レーザプリンタなどの画像形成装置、更に詳しくは、複数枚の用紙に対し連続して片面に画像を形成し、片面に画像が形成された用紙を搬送の途中においてスタックしないで再給紙することにより他面にも画像を形成する形態の画像形成装置に関する。
【背景技術】
【０００２】
上記形態の画像形成装置の一つの典型例は、搬送される用紙に画像が形成される画像形成搬送路と、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路とを備えている。画像形成搬送路の上流位置には、画像形成手段による画像形成に対し用紙の搬送タイミングを一致させるために用紙を一時的に待機させるレジストローラが配設されている。また再給紙搬送路には、４個の搬送ローラと、複数枚の用紙の搬送を一時的に停止させて待機させる搬送駆動手段が配設されている（特許文献１参照）。
【０００３】
上記画像形成装置によれば、レジストローラにおける用紙の待機時間が通常よりも長くなったときにおいても、搬送される用紙どうしの衝突を防止できる、との効果が得られる。しかしながら、再給紙搬送路には４個の搬送ローラが配設され、複数枚の用紙の搬送を一時的に停止して待機させる搬送駆動手段は、それぞれ２個の搬送ローラを独立して駆動させるための２個のステッピングモータから構成されているので、部品点数及び発熱源が多くなり、コストアップとなる。
【０００４】
【特許文献１】特開２００２−３６５８６２号公報
【発明の開示】
【発明が解決しようとする課題】
【０００５】
本発明の目的は、１個の電動モータによって、複数個の搬送ローラの全てを回転駆動させて用紙を連続的に搬送すると共に、一部の搬送ローラのみを回転駆動させかつ他の搬送ローラを停止させて、複数枚の用紙の搬送を一時的に停止して待機させることを可能にし、部品点数及び発熱源を低減すると共にコストダウンを可能にする、新規な画像形成装置を提供することである。
【課題を解決するための手段】
【０００６】
本発明によれば、搬送される用紙に画像が形成される画像形成搬送路と、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路とを備えた画像形成装置において、再給紙搬送路には、第１、第２及び第３搬送ローラが上流から下流に向ってこの順序で配設され、第１及び第２搬送ローラの一端部は、それぞれワンウェイクラッチを介して正転逆転可能な１個の電動モータに駆動連結され、第１搬送ローラの他端部は、ワンウェイクラッチを介して第２及び第３搬送ローラの他端部に相互に同方向に回転するよう駆動連結されている、ことを特徴とする画像形成装置、が提供される。
電動モータを正転させると、第１、第２及び第３搬送ローラが用紙を搬送させる方向に回転駆動させられ、電動モータを逆転させると第１搬送ローラが用紙を搬送させる方向に回転駆動させられかつ第２及び第３搬送ローラは停止させられる、ことが好ましい。
第１搬送ローラの一端部はワンウェイクラッチを介して電動モータに相互に逆方向に回転するよう駆動連結され、第２搬送ローラの一端部はワンウェイクラッチを介して電動モータに相互に同方向に回転するよう駆動連結され、
電動モータを正転させると、第１搬送ローラの一端部に配設されたワンウェイクラッチが断となり、第２搬送ローラの一端部に配設されたワンウェイクラッチ及び第１搬送ローラの他端部に配設されたワンウェイクラッチが接となり、電動モータの駆動力は、第２搬送ローラを介して第１及び第３搬送ローラに伝達され、電動モータを逆転させると、第１搬送ローラの一端部に配設されたワンウェイクラッチが接となり、第２搬送ローラの一端部に配設されたワンウェイクラッチ及び第１搬送ローラの他端部に配設されたワンウェイクラッチが断となり、電動モータの駆動力は、第１搬送ローラのみに伝達される、ことが好ましい。
電動モータの駆動軸には駆動ギヤが一体に配設され、第１搬送ローラの一端部には被駆動ギヤがワンウェイクラッチを介して配設され、第１搬送ローラの他端部にはワンウェイクラッチを介して被駆動プーリが配設され、第２搬送ローラの一端部にはワンウェイクラッチを介して被駆動ギヤが配設され、第２搬送ローラの他端部には被駆動プーリが一体に配設され、第３搬送ローラの他端部には被駆動プーリが一体に配設され、第１搬送ローラの被駆動ギヤは駆動ギヤに噛み合わされ、第２搬送ローラの被駆動ギヤは、駆動ギヤに対し、動力伝達機構を介して相互に同方向に回転させられるように駆動連結され、第１、第２及び第３搬送ローラの被駆動プーリ間は無端状のタイミングベルトを介して相互に同方向に回転させられるように駆動連結されている、ことが好ましい。
動力伝達機構は、駆動ギヤに噛み合わされかつ被駆動プーリが一体に配設された被駆動ギヤと、第２搬送ローラの被駆動ギヤに噛み合わされかつ被駆動プーリが一体に配設された被駆動ギヤと、被駆動プーリ間に巻き掛けられた無端状のタイミングベルトとを備えている、ことが好ましい。
【発明を実施するための最良の形態】
【０００７】
以下、本発明に従って構成された画像形成装置の好適な実施の形態を添付図面を参照して詳細に説明する。
【０００８】
図１を参照して、画像形成装置である静電複写機は、図示しない直方体状の複写機本体を備え、複写機本体内には、画像形成搬送路２が、複写機の横方向（図１において左右方向）に延在するよう配置されている。複写機本体内にはまた、画像形成搬送路２に関連して、画像形成手段が配設されている。画像形成手段は、感光体ドラム４と、感光体ドラム４の周囲に配置された、主帯電器、露光手段、現像器、転写ベルト機構６、クリーナ、除電器などの作像エレメントを備えている（転写ベルト機構６以外は図示せず）。画像形成手段はまた、画像形成搬送路２における、感光体ドラム４よりも下流位置に配置された定着装置８を備えている。画像形成搬送路２における、感光体ドラム４よりも上流位置（図１において右側の位置）には、その上流から下流に向かって、搬送ローラ１２及びレジストローラ１４がその順に配置されている。転写ベルト機構６は、画像形成搬送路２において、感光体ドラム４の下側から感光体ドラム４の外周面に対向するよう配置されている。定着装置８は、熱ローラ及び圧ローラを備えている。画像形成搬送路２における、定着装置８の下流位置には搬送ローラ１６が配置されている。
【０００９】
複写機本体内に配設された図示しない原稿読み取り装置によって読み取られた画像情報は、露光手段によって、主帯電器により一様に帯電された感光体ドラム４の表面に照射される。感光体ドラム４の表面には静電潜像が形成される。この静電潜像は現像器により現像される。他方、搬送ローラ１２により搬送された用紙は、レジストローラ１４により所定のタイミングで感光体ドラム４と転写ベルト機構６とにより形成される転写領域に向けて搬送される。用紙が転写領域を通過する間に、用紙の上向きの片面には、感光体ドラム４の表面に形成された現像が転写ベルト機構６によって転写される。片面に画像が転写された用紙は転写ベルト機構６によって定着装置８に搬送され、該画像は定着装置８を通過する間に用紙の片面に定着される。片面に画像が定着された用紙は搬送ローラ１６によって更に下流方向に搬送される。以上のとおりにして、画像形成搬送路２を用紙が搬送される間に、用紙の上側の片面に画像が形成される。
【００１０】
画像形成搬送路２は、その下流端部である搬送ローラ１６の下流位置において、排出路１８と反転路２０とに分岐されている。排出路１８は画像形成搬送路２の延長上に配置され、排出路１８の下流端部には排出ローラ２２が配設されている。反転路２０は、画像形成搬送路２の下流端部から下方に分岐しかつ反転して斜め下方に延び、逆転搬送路２４に接続されている。反転路２０には搬入ローラ２６及び２７が配設されている。排出路１８と反転路２０との分岐部には、分岐爪２８が配設されている。分岐爪２８は、図示しないアクチュエータにより、画像形成搬送路２を通して搬送された用紙を、排出路１８に向けて案内する図示しない第１の案内位置と、反転路２０に向けて案内する図示の第２の案内位置とに選択的に位置付けられる。逆転搬送路２４は、画像形成搬送路２の下方に間隔をおいてほぼ水平に複写機本体の横方向に延在している。逆転搬送路２４における、反転路２０の出口に近い位置には、スイッチバックローラ３０が配設されている。
【００１１】
逆転搬送路２４は、反転路２０との接続部を越えて画像形成搬送路２の下流方向に延び、下方に反転して再給紙搬送路３２に接続されている。再給紙搬送路３２は、逆転搬送路２４の下方に間隔をおいてほぼ水平に複写機本体の横方向に延在している。逆転搬送路２４の反転部には、大径の反転ローラ３４と、反転ローラ３４に圧接された小径の押さえローラ３６とを備えている。再給紙搬送路３２には、第１、第２及び第３搬送ローラ４０、４２及び４４が上流から下流に向ってこの順序で配設されている。第１、第２及び第３搬送ローラ４０、４２及び４４の駆動系については後述する。
【００１２】
複写機本体内の図１において右端部には、給紙搬送路４５が配設されている。給紙搬送路４５は、ほぼ鉛直方向に延びてから斜め上方に直線状に延びて画像形成搬送路２の上流端部である搬送ローラ１２の直上流位置に接続されている。給紙搬送路４５には、給紙ローラ４６、４７、４８、４９が上流から下流に向ってこの順序で配設されている。上記再給紙搬送路３２の下流領域は、上方に向って傾斜して、給紙搬送路４５における給紙ローラ４９の上流側に接続されている。再給紙搬送路３２の下方には、用紙積載トレイ５０、他の用紙積載トレイ及び給紙カセットが配設されている（図１においては、用紙積載トレイ５０のみを図示している）。用紙積載トレイ５０に関連して、給紙路５２、ピックアップローラ５４及び分離ローラ５６などが配設されている。給紙路５２は給紙搬送路４５に接続されている。
【００１３】
逆転搬送路２４の反転部における、反転ローラ３４と押さえローラ３６とのニップ部の下流側と、排出路１８における、排出ローラ２２の上流側との間には、反転排出路６０が配設されている。反転排出路６０は、片面に画像が形成された用紙を反転して画像面を下に向け排出してページ順に揃えるための排出路であって、反転排出ローラ６２も配設されている。逆転搬送路２４の反転部と反転排出路６０との分岐部には分岐爪６４が配設されている。分岐爪６４は、図示しないアクチュエータにより、逆転搬送路２４からスイッチバックされた用紙を、反転排出路６０に向けて案内する図示しない第１の案内位置と、再給紙搬送路３２に向けて案内する図示の第２の案内位置とに選択的に位置付けられる。
【００１４】
用紙積載トレイ５０に積載された用紙は、ピックアップローラ５４及び分離ローラ５６などにより１枚だけ給紙路５２に送り出され、給紙ローラ４８及び４９により給紙搬送路４５を通して、画像形成搬送路２に給紙され、先に述べたとおりにして片面に画像が形成される。上記分岐爪２８が図示しない第１の案内位置に位置付けられると、画像形成搬送路２を通して搬送された用紙は、排出路１８を通して排出ローラ２２により図示しない排出トレイに画像面を上にして排出される。また分岐爪２８が図１に示す第２の案内位置に位置付けられると、画像形成搬送路２を通して搬送された用紙は、反転路２０を通して搬入ローラ２６及び２７により逆転搬送路２４に表裏が反転されて搬入される。逆転搬送路２４に搬入された用紙は、スイッチバックローラ３０により逆転搬送路２４を画像形成搬送路２の上流方向に所定位置まで送られて停止させられる（スイッチバックローラ３０は、用紙の一端部をニップした状態で停止させられる）。
【００１５】
続いてスイッチバックローラ３０が逆転されると、スイッチバックローラ３０にニップされた用紙（表裏反転して画像面が下向き）は、反転ローラ３４と押さえローラ３６とのニップ部に向けて逆転搬送される。分岐爪６４が図示しない第１の案内位置に位置付けられると、反転ローラ３４と押さえローラ３６によりニップされた用紙は、反転排出路６０に向けて案内され、反転排出ローラ６２及び排出ローラ２２により図示しない排出トレイに画像面を下にして排出される。
【００１６】
分岐爪６４が図示の第２の案内位置に位置付けられると、反転ローラ３４と押さえローラ３６によりニップされた用紙は、反転ローラ３４の外周面に沿って移動する間に再反転させられて再給紙搬送路３２に搬入される。再給紙搬送路３２に搬入された用紙は、表裏再反転して画像面が上向きの状態で第１、第２及び第３搬送ローラ４０、４２及び４４により搬送されて、給紙搬送路４５における、給紙ローラ４９の上流側に搬出され、画像形成搬送路２に更に反転して再搬入される。画像面を下にして画像形成搬送路２に再搬入された用紙が再び画像形成搬送路２を搬送される間に、画像形成手段により用紙の他面にも画像が形成される。両面に画像が形成された用紙は、図示しない第１の案内位置に位置付けられた分岐爪２８に案内され、排出路１８を通して排出ローラ２２により図示しない排出トレイに排出される。
【００１７】
以上は、１枚の用紙について、片面及び両面に画像が形成されたときの用紙の流れについての説明であるが、次に、複数枚の用紙を連続して搬送しながら両面に画像を形成する場合について説明する。両面に画像を形成する搬送経路は先に述べたのと同じであるが、この実施形態においては、給紙ローラ４９から、搬送ローラ１２、レジストローラ１４、搬入ローラ２６、２７、スイッチバックローラ３０、反転ローラ３４と押さえローラ３６、第１、第２及び第３搬送ローラ４０、４２及び４４までの搬送経路には４枚の用紙（ＪＩＳ、Ａ４サイズの用紙：用紙の幅方向が搬送方向と一致）が存在する。そして、感光体ドラム４上において、画像を書き込む順序は、１枚目表→２枚目表→３枚目表→１枚目裏→４枚目表→２枚目裏→５枚目表→３枚目裏→６枚目表→４枚目裏→７枚目表→５枚目裏・・・である。
【００１８】
上記のように、複数枚の用紙を連続して搬送しながら両面に画像を形成する場合において、再給紙搬送路３２に搬入された用紙は、第１、第２及び第３搬送ローラ４０、４２及び４４を回転駆動することにより所定の搬送速度で搬送される。しかしながら、例えば、感光体ドラム４に対する画像の書き込み量が通常よりも多い場合には、レジストローラ１４における用紙の待機時間が通常よりも長くなってしまう。このようなときに、再給紙搬送路３２に搬入された用紙を、通常のとおりに第１、第２及び第３搬送ローラ４０、４２及び４４を回転させて搬送した場合には、再給紙搬送路３２から画像形成搬送路２に再搬入される用紙が待機中の用紙に衝突して紙詰まりなどのジャム発生の原因となるおそれがある。
【００１９】
本発明においては、正転逆転可能な１個の電動モータＭを正転させることにより、通常の搬送時には、第１、第２及び第３搬送ローラ４０、４２及び４４を回転させ、また、電動モータＭを逆転させることにより、再給紙搬送路３２の下流側に配置された二つの搬送ローラ４２及び４４を一時的に停止させ、再給紙搬送路３２の上流側に配置された一つの搬送ローラ４０のみを回転させることにより、搬送ローラ４０と、その下流側に配置された搬送ローラ４２（停止）との間で、用紙間の距離の調整を行うことを可能にした。なおこの間、定着装置８の熱ローラ及び圧ローラ、搬送ローラ１６、搬入ローラ２６及び２７、スイッチバックローラ３０及び反転ローラ３４は回転駆動されている。
【００２０】
以下、再給紙搬送路３２に配設された第１、第２及び第３搬送ローラ４０、４２及び４４の駆動系について、詳細に説明する。
【００２１】
図２及び図１を参照して、上記再給紙搬送路３２には、枠体６０が配設されている。枠体６０には、底壁６２と、底壁６２の一端部（図２において後端部）から直立する側壁６４と、底壁６２の他端部（図２において前端部）から直立する側壁６６とを備えている。第１搬送ローラ４０は、被駆動軸４０ａと、被駆動軸４０ａに固定された２個の被駆動ローラ４０ｂとからなる第１搬送被駆動ローラ４０Ａと、図示しない従動軸と、該従動軸に固定された図示しない２個の従動ローラとからなる第１搬送従動ローラ４０Ｂ（図１参照）とを備えているが、図２においては第１搬送被駆動ローラ４０Ａのみを図示している。第１搬送従動ローラ４０Ｂの２個の従動ローラは、第１搬送被駆動ローラ４０Ａの、対応する被駆動ローラ４０ｂに下方から圧接されている（これらのローラのニップ部に対応する底壁６２には、干渉防止のための開口部が形成されている）。第１搬送被駆動ローラ４０Ａは、被駆動軸４０ａを介して側壁６４及び６６間に回転自在に支持されている。第１搬送従動ローラ４０Ｂは、底壁６２の下側において、複写機本体の図示しない静止枠に回転自在にかつ上方に弾性的に付勢されるよう支持されている。
【００２２】
第２搬送ローラ４２は、被駆動軸４２ａと、被駆動軸４２ａに固定された２個の被駆動ローラ４２ｂとからなる第２搬送被駆動ローラ４２Ａと、図示しない従動軸と、該従動軸に固定された図示しない２個の従動ローラとからなる第２搬送従動ローラ４２Ｂ（図１参照）とを備えているが、図２においては第２搬送被駆動ローラ４２Ａのみを図示している。第２搬送従動ローラ４２Ｂの２個の従動ローラは、第２搬送被駆動ローラ４２Ａの、対応する被駆動ローラ４２ｂに下方から圧接されている（これらのローラのニップ部に対応する底壁６２には、干渉防止のための開口部が形成されている）。第２搬送被駆動ローラ４２Ａは、被駆動軸４２ａを介して側壁６４及び６６間に回転自在に支持されている。第２搬送従動ローラ４２Ｂは、底壁６２の下側において、複写機本体の図示しない静止枠に回転自在にかつ上方に弾性的に付勢されるよう支持されている。
【００２３】
第３搬送ローラ４４は、被駆動軸４４ａと、被駆動軸４４ａに固定された２個の被駆動ローラ４４ｂとからなる第３搬送被駆動ローラ４４Ａと、図示しない従動軸と、該従動軸に固定された図示しない２個の従動ローラとからなる第３搬送従動ローラ４４Ｂ（図１参照）とを備えているが、図２においては第３搬送被駆動ローラ４４Ａのみを図示している。第３搬送従動ローラ４４Ｂの２個の従動ローラは、第４搬送被駆動ローラ４４Ａの、対応する被駆動ローラ４４ｂに下方から圧接されている（これらのローラのニップ部に対応する底壁６２には、干渉防止のための開口部が形成されている）。第４搬送被駆動ローラ４４Ａは、被駆動軸４４ａを介して側壁６４及び６６間に回転自在に支持されている。第４搬送従動ローラ４４Ｂは、底壁６２の下側において、複写機本体の図示しない静止枠に回転自在にかつ上方に弾性的に付勢されるよう支持されている。上記説明から明らかなように、用紙が搬送される再給紙搬送路３２は、枠体６０の底壁６２の下面に沿って図２において左から右に向って延在する。
【００２４】
側壁６４には正転逆転可能な１個の電動モータＭが配設されている。電動モータＭの駆動軸７０には駆動ギヤ７２が一体に配設されている。第１搬送被駆動ローラ４０Ａの被駆動軸４０ａの一端部には、ワンウェイクラッチ７４を介して被駆動ギヤ７６が配設されている。第１搬送被駆動ローラ４０Ａの被駆動軸４０ａの他端部には、ワンウェイクラッチ７８を介して被駆動プーリ８０が配設されている。第２搬送被駆動ローラ４２Ａの被駆動軸４２ａの一端部には、ワンウェイクラッチ８２を介して被駆動ギヤ８４が配設されている。第２搬送被駆動ローラ４２Ａの被駆動軸４２ａの他端部には、被駆動プーリ８８が一体に配設されている。第３搬送被駆動ローラ４４Ａの被駆動軸４４ａの他端部には被駆動プーリ９０が一体に配設されている。
【００２５】
第１搬送被駆動ローラ４０Ａの被駆動ギヤ７６は電動モータＭの駆動ギヤ７２に噛み合わされている。これにより、第１搬送被駆動ローラ４０Ａの一端部は、ワンウェイクラッチ７４を介して電動モータＭの駆動ギヤ７２に対し相互に逆方向に回転するよう駆動連結される。第２搬送被駆動ローラ４２Ａの被駆動ギヤ８４は、電動モータＭの駆動ギヤ７２に対し、動力伝達機構９２を介して相互に同方向に回転させられるように駆動連結されている。第１、第２及び第３搬送被駆動ローラ４０Ａ、４２Ａ及び４４Ａの被駆動プーリ８０、８８及び９０間は、１本の無端状のタイミングベルト９４が巻き掛けられ、相互に同方向に回転させられるように駆動連結されている。これにより、第１搬送被駆動ローラ４０Ａの他端部は、ワンウェイクラッチ７８を介して第２及び第３搬送被駆動ローラ４２Ａ及び４４Ａの他端部に相互に同方向に回転するよう駆動連結される。タイミングベルト９４は側壁６６に配設されたテンションプーリ９８及び９９により張力が付与されている。
【００２６】
動力伝達機構９２は、被駆動プーリ１００が一体に配設された被駆動ギヤ１０２と、被駆動プーリ１０４が一体に配設された被駆動ギヤ１０６と、被駆動プーリ１００及び１０４間に巻き掛けられた無端状のタイミングベルト１０８とを備えている。被駆動ギヤ１０２及び１０６は側壁６２に回転自在に支持されている。被駆動ギヤ１０２は電動モータＭの駆動ギヤ７２に噛み合わされている。被駆動ギヤ１０６は、第２搬送被駆動ローラ４２Ａの被駆動ギヤ８４に噛み合わされている。タイミングベルト１０８は側壁６２に配設されたテンションプーリ１１０により張力が付与されている。
【００２７】
なお、上記説明から明らかなように、第１、第２及び第３搬送ローラ４０、４２及び４４の駆動系は、具体的には、第１、第２及び第３搬送被駆動ローラ４０Ａ、４２Ａ及び４４Ａに配設されているが、実質的には第１、第２及び第３搬送ローラ４０、４２及び４４に配設されているといえる。したがって、本発明において、第１及び第２搬送ローラ４０及び４２の一端部は、それぞれワンウェイクラッチ７４及び８２を介して正転逆転可能な１個の電動モータＭに駆動連結され、第１搬送ローラ４０の他端部は、ワンウェイクラッチ７８を介して第２及び第３搬送ローラ４２及び４４の他端部に相互に同方向に回転するよう駆動連結されている、ということができる。
【００２８】
図３を参照して、電動モータＭを正転（図３において反時計方向に回転）させると、第１搬送被駆動ローラ４０Ａの一端部に配設されたワンウェイクラッチ７４が断となり、第２搬送被駆動ローラ４２Ａの一端部に配設されたワンウェイクラッチ８２及び第１搬送被駆動ローラ４０Ａの他端部に配設されたワンウェイクラッチ７８が接となる。その結果、電動モータＭの駆動力は、第２搬送被駆動ローラ４２Ａを介して第１及び第３搬送被駆動ローラ４０Ａ及び４４Ａに伝達されるので、第１、第２及び第３搬送被駆動ローラ４０Ａ、４２Ａ及び４４Ａの全てが用紙を搬送させる方向（図３において反時計方向）に回転駆動させられる。すなわち、第１、第２及び第３搬送ローラ４０、４２及び４４の全てが用紙を搬送させる方向に回転駆動させられることになる。
【００２９】
図４を参照して、電動モータＭを逆転させると、第１搬送被駆動ローラ４０Ａの一端部に配設されたワンウェイクラッチ７４が接となり、第２搬送被駆動ローラ４２Ａの一端部に配設されたワンウェイクラッチ８２及び第１搬送被駆動ローラ４０Ａの他端部に配設されたワンウェイクラッチ７８が断となる。その結果、電動モータＭの駆動力は、第１搬送被駆動ローラ４０Ａのみに伝達されるので、第１搬送被駆動ローラ４０Ａのみが用紙を搬送させる方向に回転駆動させられ、第２及び第３搬送被駆動ローラ４２Ａ及び４４Ａは停止させられる。すなわち、第１搬送ローラ４０のみが用紙を搬送させる方向に回転駆動させられ、第２及び第３搬送ローラ４２及び４４は停止させられることになる。
【００３０】
このように本発明による画像形成装置によれば、１個の電動モータＭによって、複数個、実施形態においては再給紙搬送路３２に配設された３個の搬送ローラ４０、４２及び４４の全てを回転駆動させて用紙を連続的に搬送すると共に、実施形態においては再給紙搬送路３２において最上流位置に配置された一部の搬送ローラ、実施形態においては再給紙搬送路３２において最上流位置に配置された搬送ローラ４０のみを回転駆動させかつ他の搬送ローラ４２及び４４、実施形態においては再給紙搬送路３２において搬送ローラ４０の下流に配置された他の搬送ローラ４２及び４４を停止させて、複数枚の用紙の搬送を一時的に停止して待機させることを可能にする。
【００３１】
すなわち、先に述べたように、複数枚の用紙を連続して搬送しながら両面に画像を形成する場合において、レジストローラ１４における用紙の待機時間が通常の場合には、電動モータＭを正転させることにより、第１、第２及び第３搬送ローラ４０、４２及び４４の全てを回転駆動することができる。その結果、再給紙搬送路３２に搬入された用紙は、所定の搬送速度で連続して搬送され、連続的に効率よく用紙の両面に画像を形成することができる。
【００３２】
しかしながら、例えば、感光体ドラム４に対する画像の書き込み量が通常よりも多いことに起因して、レジストローラ１４における用紙の待機時間が通常よりも長くなった場合には、電動モータＭを一時的に逆転させるだけで、再給紙搬送路３２の下流側に配置された二つの搬送ローラ４２及び４４を一時的に停止させ、かつ再給紙搬送路３２の上流側に配置された一つの搬送ローラ４０のみを回転させることができる。その結果、レジストローラ１４において待機させられた用紙の後に続く再給紙搬送路３２内の用紙を一時的に停止させ、その間に搬送ローラ４０と、その下流側に配置された搬送ローラ４２（停止）との間で、用紙間の距離の調整を行うことを可能にした。これにより、再給紙搬送路３２から画像形成搬送路２に再搬入される用紙が待機中の用紙に衝突して紙詰まりなどのジャムを発生することは確実に防止される。しかも、再給紙搬送路３２に配設された複数の搬送ローラ４０、４２及び４４を正転逆転可能な１個の電動モータＭにより駆動制御できるので、従来装置に較べて、部品点数及び発熱源を低減すると共にコストダウンを可能にする。再給紙搬送路３２に配設される搬送ローラを３個とした場合には、従来装置に較べて搬送ローラの数も１個低減され、更に部品点数が低減されると共に、装置全体のコンパクト化も可能になる。
【００３３】
上記実施形態において、再給紙搬送路３２には３個の搬送ローラ４０、４２及び４４の３個の搬送ローラが配設されているが、４個以上の複数個の搬送ローラを１個の電動モータＭを正逆転させることにより、搬送ローラの全てを回転駆動させて用紙を連続的に搬送すると共に、一部の搬送ローラのみを回転駆動させかつ他の搬送ローラを停止させて、複数枚の用紙の搬送を一時的に停止して待機させることは可能である。この場合、搬送ローラの数は、従来装置と同じになるが、１個の電動モータＭにより駆動制御できるので、従来装置に対しては、先に述べたメリットが確保されることはいうまでもない。
【図面の簡単な説明】
【００３４】
【図１】本発明に従って構成された画像形成装置の好適実施形態の構成要部を示す断面概略図。
【図２】図１に示す再給紙搬送路に配設された搬送ローラ及び搬送ローラの駆動系を示す斜視概略図。
【図３】図２に示す搬送ローラ及び搬送ローラの駆動系の一つの作動態様を示す説明図。
【図４】図２に示す搬送ローラ及び搬送ローラの駆動系の他の作動態様を示す説明図。
【符号の説明】
【００３５】
２：画像形成搬送路
２０：反転路
２４：逆転搬送路
３２：再給紙搬送路
４０：第１搬送ローラ
４０Ａ：第１搬送被駆動ローラ
４０ａ：被駆動軸
４０ａ：被駆動ローラ
４２：第２搬送ローラ
４２Ａ：第２搬送被駆動ローラ
４２ａ：被駆動軸
４２ａ：被駆動ローラ
４４：第３搬送ローラ
４４Ａ：第３搬送被駆動ローラ
４４ａ：被駆動軸
４４ａ：被駆動ローラ
７０：駆動軸
７２：駆動ギヤ
７４：ワンウェイクラッチ
７６：被駆動ギヤ
７８：ワンウェイクラッチ
８０：被駆動プーリ
８２：ワンウェイクラッチ
８４：被駆動ギヤ
８８：被駆動プーリ
９０：被駆動プーリ
Ｍ：電動モータ
【図１】
2005089073.tif 000003
【図２】
2005089073.tif 000004
【図３】
2005089073.tif 000005
【図４】
2005089073.tif 000006